(57)【要約】【課題】通常能力のブロアーでも充分なる除水能力を発揮し、除水後の取扱も容易なる、レトルトパックおよび袋物パック用の除水方法およびその装置を提供する。【解決手段】開閉可能なクリップ体を多数連設した吊下搬送部を設け、該クリップ体の開閉を制御するためのガイドフレームをクリップ体に近接して設け、一方、レトルトパックおよび袋物パックの載置搬送装置部を吊下搬送部に近接して設け、除水装置部を吊下搬送部に近接相対して設けることにより、載置搬送装置部に載置されたレトルトパックおよび袋物パックが搬送中に自動的に挟持吊下搬送状態となり、この搬送中に自動的に除水された後、落下集積されるよう構成したことを特徴とする【選択図】　　　図２
2004125365.tif 000002
【特許請求の範囲】
【請求項１】
レトルトパックおよび袋物パックの挟持吊下搬送中にエアー噴射により該パック表面の除水を行うことを特徴とするレトルトパックおよび袋物パック除水方法。
【請求項２】
開閉可能なクリップ体を多数連設した吊下搬送部を設け、該クリップ体の開閉を制御するためのガイドフレームをクリップ体に近接して設け、一方、レトルトパックおよび袋物パックの載置部を吊下搬送部に近接して設け、除水装置部を吊下搬送部に近接相対して設けることにより、載置部に載置されたレトルトパックおよび袋物パックが搬送中に自動的に挟持吊下搬送状態となり、この搬送中に自動的に除水された後、落下集積されるよう構成したことを特徴とするレトルトパックおよび袋物パック除水装置。
【請求項３】
開閉可能なクリップ体を多数連設した吊下搬送部を設け、該クリップ体の開閉を制御するためのガイドフレームをクリップ体に近接して設け、一方、レトルトパックおよび袋物パックの載置搬送装置部を吊下搬送部に近接して設け、除水装置部を吊下搬送部に近接相対して設けることにより、載置搬送装置部に載置されたレトルトパックおよび袋物パックが搬送中に自動的に挟持吊下搬送状態となり、この搬送中に自動的に除水された後、落下集積されるよう構成したことを特徴とするレトルトパックおよび袋物パック除水装置。
【発明の詳細な説明】
【０００１】
【発明の属する技術分野】
この発明は、レトルトパックおよび袋物パックの殺菌処理後のパック表面に付着している水滴を、効率的に除水するための除水装置に関する。
【０００２】
【従来の技術】
従来より、レトルトパックおよび袋物パック表面の水滴を除去する装置はあるが、コンベア上に横にして搬送し、その搬送中に上下からエアー噴射にて除水するものであり、本発明にて示すように、レトルトパックおよび袋物パックを吊下して搬送しながら除水する装置は見当たらない。
【０００３】
【発明が解決しようとする課題】
従来からの除水方法は、前記したようにコンベア上にレトルトパックおよび袋物パックを横に寝かせて搬送し、レトルトパックおよび袋物パックに向けて上下からエアーを噴射して除水する方法が大半である。このコンベアは適宜太さの紐体を搬送方向に平行に複数本位置させたものや、ネットコンベアを用いたものである。
レトルトパックおよび袋物パックの上表面に対しては従来の方法でもある程度の水滴除去はなされるが、下表面はコンベアに接しているため、エアー噴射による風圧にてレトルトパックおよび袋物パックを浮かせて除水しなければならない。
しかし、レトルトパックおよび袋物パック重量が約２００グラムを越えると通常の風圧ではレトルトパックおよび袋物パックを浮かせることが困難となり、完全な除水は難しくなる。そのため風圧を大きくする必要があるが、ブロアー動力も大きなものが必要となり、ランニングコストの増加を招くという問題がある。本発明は、以上のような従来からのレトルトパックおよび袋物パック除水装置に関わる課題を解決するために発明されたもので、レトルトパックおよび袋物パックを吊下搬送することにより完全なる除水を容易に行うことのできる装置を提供することを目的として開発されたものである。
【０００４】
【課題を解決するための手段】
課題を解決するための手段として本発明は、吊下搬送装置部と載置搬送関係部および除水装置部を互いに近接して所定位置に設けてその主要部を構成した。
すなわち、本発明の一つは、レトルトパックおよび袋物パックの挟持吊下搬送中にエアー噴射により該パック表面の除水を行うことを特徴とするレトルトパックおよび袋物パック除水方法である。
また本発明の他の一つは、開閉可能なクリップ体を多数連設した吊下搬送部を設け、該クリップ体の開閉を制御するためのガイドフレームをクリップ体に近接して設け、一方、レトルトパックおよび袋物パックの載置部を吊下搬送部に近接して設け、除水装置部を吊下搬送部に近接相対して設けることにより、載置部に載置されたレトルトパックおよび袋物パックが搬送中に自動的に挟持吊下搬送状態となり、この搬送中に自動的に除水された後、落下集積されるよう構成したことを特徴とするレトルトパックおよび袋物パックの除水装置であり、さらに本発明の他の一つは、開閉可能なクリップ体を多数連設した吊下搬送部を設け、該クリップ体の開閉を制御するためのガイドフレームをクリップ体に近接して設け、一方、レトルトパックおよび袋物パックの載置搬送装置部を吊下搬送部に近接して設け、除水装置部を吊下搬送部に近接相対して設けることにより、載置搬送装置部に載置されたレトルトパックおよび袋物パックが搬送中に自動的に挟持吊下搬送状態となり、この搬送中に自動的に除水された後、落下集積されるよう構成したレトルトパックおよび袋物パックの除水装置である。
【０００５】
【実施例】
以下、本発明の実施例について説明する。
図において、１は略直方体枠形のメインフレームで、その上面に板体が覆設される。２はブロアーで、メインフレーム内左方に装備される。
３はメインスプロケットで、メインフレーム上面左右に各々回転可能に軸支される。４はサブスプロケットで、メインフレーム内に各々軸支される。５はアタッチメント付きチェーンで、上述の各スプロケット間に張設される。６はチェーン駆動モーター、７はギアボックスで、右方のメインスプロケット近傍に各々設けられる。
８はモーター内蔵の駆動ローラー、９は従動ローラーで、相互に所定距離をもってメインフレーム左方上方に位置し、双方のローラー間にベルトコンベア１０が張設される。１１〜１３は保持ガイドフレームで、メインフレーム上方に上下に所定距離をもって設けられる。
各フレームの左右端は上向きもしくは下向きの若干の勾配を有して設けられる。１４および１５は開閉ガイドフレームで、メインフレーム上方の左方と右方に各々設けられ、各フレームの端部は上向きもしくは下向きの勾配が設けられる。１６および１７は噴射筒で、中空筒体の一側面に多数の円形噴射孔１８を穿設して形成され、ブロアー２に配管接続される。
【０００６】
１９はブラシ装置部である。
２０はブラシ駆動モーター、２１はプーリー、２２はブラシである。
該モーターの回転は、互いに押圧接触しているプーリーによって他方のブラシ軸へと伝達され、１個のモーターにて２本のブラシを互いに逆方向へ回転させることができる。
２３はクリップ体を示している。２４は下板で、断面略コ字形板体で、その両側中央近傍は上方へ突出してステー部分となっている。２５は上板で、下板よりやや幅狭の略コ字形板体で、支軸２６にて互いに回動可能に軸支される。
２７および２８はガイドローラーで、下板および上板端部に各々軸支される。
２９はスプリングシャフトで、下板に立設固定され、その端部は上板に穿設した貫通孔を貫通して突出している。３０はコイルスプリングで、スプリングシャフトを介して上板下板間に押圧保持される。３１はゴム板で、上板および下板の当接個所に貼着される。３２はガイド板で、Ｌ形の小板体であり、チェーンに所定間隔を持って取り付けられる。３３は排出シュートで、両端を折曲した板体で、開閉ガイドプレート１５の下方に斜方に取り付けられる。３４は貯留箱で、排出シュート下方に載置される。
なお、３５はメインフレーム上面板体に切り欠いて設けた開口部である。
以上の各スプロケット、チェーン、クリップ体、チェーン駆動モーターおよびギアボックス、保持および開閉ガイドフレームにて吊下搬送装置部が形成され、駆動ローラーおよび従動ローラーそしてベルトコンベアにて載置搬送装置部が構成される。噴射筒およびブロアーにて除水装置部が構成される。
図１〜図２中、チェーンは略示し、クリップ体は部分記載とし、各部品の取り付け関係の一部および電気配線と配管関係は省略して表現した。
【０００７】
本発明を使用するには、まず駆動ローラー、チェーン駆動モーター、ブロアー、ブラシ駆動モーターに通電して各々駆動させる。
次ぎに除水しようとするレトルトパックおよび袋物パックを図１に示すようにベルトコンベア上に乗せる。このとき、パックの端部をコンベア端より少し突きだして乗せる。
ベルトコンベアは左方から右方に流れているので、パックも右方に向けて移動する。一方、チェーンに固定されているクリップ体も左方から右方へベルトコンベアと等速にて移動している。
このクリップ体は図４〜図５にて示すように、支軸２６を回動中心としてその先端が開閉可能であるとともに、スプリングの押圧作用にて通常は閉状態となっている。クリップ体移動時において、ガイドローラー２７はチェーンとほぼ同じ高さにあり、保持ガイドフレーム１１と１２の間に位置しながら移動し、クリップ体下板の上下位置が規定される。
ガイドローラー２８は開閉ガイドフレームよりやや高い位置に設定されており、移動時に開閉ガイドフレーム１４に接して該ガイドフレームの傾斜にそって押圧されながら下方および右方へと移動することとなり、クリップ体は開状態となる。クリップ体はレトルトパックおよび袋物パック幅より狭い間隔でチェーンに連設されており、クリップ体開状態のとき、パック端の上下方向には開いたクリップ体先端部が位置している。
クリップ体が開閉ガイドフレーム１４から外れると、スプリング押圧にて閉状態となりこのときレトルトパックおよび袋物パック端を押圧狭持する。
【０００８】
この押圧挟持の時点ではレトルトパックおよび袋物パックはまだベルトコンベア上にあり、そのまま右方へ移動する。パックはやがてベルトコンベア上から外れ、吊下状態となって右方へ移動し続ける。そしてパックは噴射筒の位置にさしかかると、この噴射筒からは常時エアー噴射が行われているので、このエアー噴射にてパック表面の水滴は下方へと移動して除水が行われる。
この噴射筒は吊下パックを挟むように近接して位置し、かつ斜方に位置しているため、パックの上部から下部に向けて斜方にエアーが当たり、このエアーにて水滴は下方に移動し、パックから離れることとなる。本例では２対の噴射筒を前後に設けており、２度のエアー噴射にて除水がなされる。
噴射筒の後方には１対の円筒形ブラシが回転して位置しており、この相対するブラシ間を吊下パックが通過し、この回転ブラシのブラシ体がパック表面に軽く押圧接触して、エアー噴射にて除去しきれなかった水分と塩素分はここで完全に除去される。ブラシ体を通過した後は、開閉ガイドフレーム１５にてクリップ体は再び開状態となり、狭持されていたレトルトパックおよび袋物パックはその自重にてクリップ体から離れて落下し、排出シュートに当たって滑り落ち、貯留箱に貯留される。以上がレトルトパックおよび袋物パック載置から除水して排出までの説明である。
【０００９】
本発明の概要については既述したが、本例では載置搬送装置部を設けてその作業を容易なものとした。この載置搬送装置部は、モーター駆動によりベルトコンベアが左方から右方に向けて移動するため、このコンベア上にレトルトパックおよび袋物パックを載置するだけで、自動的に挟持状態へと移行させることができる。なお、多数のローラーを回動可能に連設した載置部あるいは表面の滑らかな板体による載置部として、手動にてレトルトパックおよび袋物パックを移動させながらクリップ体に狭持させる方法とすることもできる。
また本例では、噴射筒を２セット前後に位置させて、除水機能の増大を計るものとした。また、噴射筒の後方にブラシ装置部を設けてより完全な除水をできるよう構成した。
さらに、排出シュートと貯留箱を設けたので、落下したレトルトパックおよび袋物パックは自動的に貯留され、その取扱も容易なものとなっている。
なお本例では噴射筒を斜方に設けている。これはレトルトパックおよび袋物パックの右上端から左下端に向けて除水を行うことでより除水しやすくするための配慮である。
本発明は、レトルトパックおよび袋物パックを吊下搬送しつつ除水するところにその特徴がある。
従来法ではコンベア上に寝かせて搬送しつつ除水するため、前記したように強力な風圧にてパックを浮かせなければ除水できないものであった。
しかるに本発明では吊下搬送中の除水としたために、通常用いられる程度のブロアー動力でも充分な除水を行うことができるのである。つまり、従来法では風圧のみによる除水であるが、本発明は吊下除水のため、水滴に作用する重力と風圧の相乗効果による充分なる除水が可能なのである。
また、ブラシを併用することでより完全な除水ができ、パックに対する自動挟持および解除機能を備えているため、除水後のパックの管理も容易である。
以上説明したように、本発明によって除水能力に優れたレトルトパックおよび袋物パック用の除水方法および装置を得ることができる。
【００１０】
【発明の効果】
本発明によれば、レトルトパックおよび袋物パックを吊下搬送し、この搬送中に側方からのエアー噴射にて主除水を行い、その後回転ブラシにて副除水を行うよう構成したため、従来法のように搬送中のパックを風圧にて浮かす必要がなく、適量のエアー噴射にて充分なる除水効果の得られる有用なる除水方法およびその装置を提供することができる。
【図面の簡単な説明】
【図１】本発明の平面図（一部省略）
【図２】本発明の正面図（一部省略）
【図３】本発明の右側面図（一部省略）
【図４】本発明のクリップ体の側面図（チェーン取り付け状態）
【図５】本発明の挟持機能説明図
【図６】本発明のクリップ体の装備状態説明図（平面視）
【図７】本発明の噴射筒の平面図
【図８】本発明の噴射筒の正面図（一部略）
【図９】本発明のブラシ装置部の構造説明図
【符号の説明】
１　メインフレーム
２　ブロアー
３　メインスプロケット
４　サブスプロケット
５　アタッチメント付きチェーン
６　チェーン駆動モーター
７　ギアボックス
８　駆動ローラー
９　従動ローラー
１０　ベルトコンベア
１１　保持ガイドフレーム
１２　保持ガイドフレーム
１３　保持ガイドフレーム
１４　開閉ガイドフレーム
１５　開閉ガイドフレーム
１６　噴射筒
１７　噴射筒
１８　噴射孔
１９　ブラシ装置部
２０　ブラシ駆動モーター
２１　プーリー
２２　ブラシ
２３　クリップ体
２４　下板
２５　上板
２６　支軸
２７　ガイドローラー
２８　ガイドローラー
２９　スプリングシャフト
３０　コイルスプリング
３１　ゴム板
３２　ガイド板
３３　排出シュート
３４　貯留箱
３５　開口部
３６　レトルトパックおよび袋物パック
【図１】
2004125365.tif 000003
【図２】
2004125365.tif 000004
【図３】
2004125365.tif 000005
【図４】
2004125365.tif 000006
【図５】
2004125365.tif 000007
【図６】
2004125365.tif 000008
【図７】
2004125365.tif 000009
【図８】
2004125365.tif 000010
【図９】
2004125365.tif 000011